(57)【要約】【課題】使い勝手の優れたカードホルダを提供する。【解決手段】カードホルダ１は、ケース１１、ネックストラップ２５、及びクリップ２７を有しているホルダ本体１０と、固定クリップ３０とを備えている。ケース１１の背面にはスチールプレート２０が取り付けられている。固定クリップ３０の前面には、マグネットプレート４０が配された取付板４５が取り付けられている。固定クリップ３０は、マグネットプレート４０とスチールプレート２０との磁気吸引力により、ケース１１に取り付け及び取り外し可能である。ユーザは、固定クリップ３０を被服などに固定した状態で、その固定クリップ３０にケース１１を取り付けることで、カードホルダ１を被服などに固定して使用することができる。【選択図】図４
0003163601.tif 000002
【実用新案登録請求の範囲】
【請求項１】
ネックストラップ及びそのネックストラップによりつり下げられカードを保持する保持部を有するホルダ本体と、
ユーザの着用物に取り付け及び取り外し可能な固定部材と、
前記ホルダ本体に設けられた第１の着脱部と、
前記固定部材に設けられた第２の着脱部とを備え、
前記第２の着脱部は、取り付け及び取り外し可能に、前記第１の着脱部に係合し又は吸引され、
前記固定部材は、前記第２の着脱部が前記第１の着脱部に取り付けられることにより、前記ホルダ本体に取り付けられている、カードホルダ。
【請求項２】
前記第１の着脱部のうち前記第２の着脱部に係合し又は吸引される部位は、平面形状を有し、
前記第１の着脱部のうち前記第２の着脱部に係合し又は吸引される部位は、平面形状を有する、請求項２に記載のカードホルダ。
【請求項３】
前記第１の着脱部及び前記第２の着脱部のうち、少なくとも一方は磁石を有し、他方は磁石又は強磁性体を有する、請求項１又は２に記載のカードホルダ。
【請求項４】
前記第１の着脱部及び前記第２の着脱部は、一対の面ファスナである、請求項１から３のいずれかに記載のカードホルダ。
【請求項５】
前記第１の着脱部は、前記保持部の背面に設けられており、
前記第２の着脱部は、前記固定部材の前面に設けられている、請求項１から４のいずれかに記載のカードホルダ。
【請求項６】
前記固定部材は、ネクタイ留めである、請求項１から５のいずれかに記載のカードホルダ。
【請求項７】
前記保持部は、保持部により保持されるカードの表面が外部に露出するように形成された開口部をさらに有し、
前記第１の着脱部は、前記開口部を遮らないように設けられている、請求項１から６のいずれかに記載のカードホルダ。
【考案の詳細な説明】
【技術分野】
【０００１】
この考案は、カードホルダに関し、特に、ユーザが首に掛けて使用可能なカードホルダに関する。
【背景技術】
【０００２】
ユーザが首に掛けて、首からつり下げて使用可能なカードホルダがある。このようなカードホルダは、名刺やＩＤカードなどのカードを収納するホルダ本体と、ホルダ本体に取り付けられているネックストラップなどとで構成されている。
【０００３】
ネックストラップにより首からつり下げて用いるカードホルダにあっては、ホルダ本体が裏返りになったり、ユーザが前傾姿勢をとったときなどにホルダ本体がユーザの上半身から離れてしまったりすることがある。このような場合、ホルダ本体部に収納されたカードを視認しにくくなったり、ユーザが行う作業が妨げられたり、カードホルダがほかの物に衝突したりするなど、種々の問題が生じることがある。
【０００４】
このような問題に関して、下記特許文献１には、ホルダ本体の一部にクリップ具を設けた首掛け式のカードホルダが開示されている。このカードホルダは、クリップ具を衣服などに係脱することで、ホルダ本体の揺れやネックストラップのねじれを防止するものである。
【先行技術文献】
【特許文献】
【０００５】
【特許文献１】実登第３１１６５２４号公報
【考案の概要】
【考案が解決しようとする課題】
【０００６】
ところで、特許文献１に記載のカードホルダは、使用する状況によっては、クリップ具の着脱に手間が掛かったり、取り扱いが面倒であったりするなど、使い勝手が劣るという問題があった。
【０００７】
この考案はそのような問題点を解決するためになされたものであり、使い勝手の優れたカードホルダを提供することを目的としている。
【課題を解決するための手段】
【０００８】
上記目的を達成するためこの考案のある局面に従うと、カードホルダは、ネックストラップ及びそのネックストラップによりつり下げられカードを保持する保持部を有するホルダ本体と、ユーザの着用物に取り付け及び取り外し可能な固定部材と、ホルダ本体に設けられた第１の着脱部と、固定部材に設けられた第２の着脱部とを備え、第２の着脱部は、取り付け及び取り外し可能に、第１の着脱部に係合し又は吸引され、固定部材は、第２の着脱部が第１の着脱部に取り付けられることにより、ホルダ本体に取り付けられている。
【０００９】
好ましくは第１の着脱部のうち第２の着脱部に係合し又は吸引される部位は、平面形状を有し、第１の着脱部のうち第２の着脱部に係合し又は吸引される部位は、平面形状を有する。
【００１０】
好ましくは第１の着脱部及び第２の着脱部のうち、少なくとも一方は磁石を有し、他方は磁石又は強磁性体を有する。
【００１１】
好ましくは第１の着脱部及び第２の着脱部は、一対の面ファスナである。
【００１２】
好ましくは第１の着脱部は、保持部の背面に設けられており、第２の着脱部は、固定部材の前面に設けられている。
【００１３】
好ましくは固定部材は、ネクタイ留めである。
【００１４】
好ましくは保持部は、保持部により保持されるカードの表面が外部に露出するように形成された開口部をさらに有し、第１の着脱部は、開口部を遮らないように設けられている。
【考案の効果】
【００１５】
これらの考案に従うと、固定部材は、ホルダ本体に取り付け及び取り外し可能に取り付けられている。したがって、使い勝手の優れたカードホルダを提供することができる。
【図面の簡単な説明】
【００１６】
【図１】第１の実施の形態におけるカードホルダを示す斜視図である。
【図２】ホルダ本体を示す斜視図である。
【図３】固定クリップを示す斜視図である。
【図４】カードホルダの使用状態の一例を示す斜視図である。
【図５】カードホルダの幅方向略中央部の側断面図である。
【図６】カードホルダの使用方法の一例を説明する斜視図である。
【図７】第１の実施形態の一変型例に係るケースの背面図である。
【図８】第１の実施形態の別の変型例に係るケースの背面図である。
【図９】第１の実施形態の別の変型例に係るケースの背面図である。
【図１０】第２の実施の形態におけるカードホルダを示す斜視図である。
【考案を実施するための形態】
【００１７】
以下、本考案の実施の形態におけるカードホルダについて説明する。
【００１８】
本実施の形態において、カードホルダ（ネームカードホルダ、名札ホルダ、ネームホルダなどと呼ばれることもある）は、ネクタイやシャツなどの被服に着脱可能に固定して用いることができるものである。
【００１９】
カードホルダは、首掛け式のものであり、ネックストラップ（ループ状の掛けひも）にケースを係合して構成されているホルダ本体と、ホルダ本体のケースの裏面に取り付けられる固定クリップとを有している。ホルダ本体には、メス側の面ファスナ又はマグネットが設けられており、固定クリップには、ホルダ本体のメス側の面ファスナ又はマグネットに対応する大きさの、オス側の面ファスナ又はマグネットが設けられている。これにより、ホルダ本体に対して固定クリップが着脱自在に取り付けられている。
【００２０】
カードホルダは、通常時は、ホルダ本体部と固定クリップを密着させて、固定クリップがネクタイ又はシャツなどの被服に固定された状態で用いられる。これにより、ホルダ本体部のケースが裏返りになったり、ユーザが前傾姿勢であるときにホルダ本体部がユーザの上半身から離れてしまったりすることを防止できる。したがって、カードホルダがユーザの作業の妨げになったり、物に衝突したりしない状態で、カードホルダを用いることができる。ケースの裏面と固定クリップの前面とを面ファスナやマグネットなどで一時的に接着可能であるので、容易に、ホルダ本体部を固定クリップから離脱させたり、ホルダ本体部を固定クリップに接着させたりすることができる。したがって、カードホルダは良好な使い勝手を有している。
【００２１】
［第１の実施の形態］
【００２２】
図１は、第１の実施の形態におけるカードホルダを示す斜視図である。
【００２３】
図を参照して、カードホルダ１は、大まかに、ホルダ本体１０と、固定クリップ（固定部材の一例）３０とを備えている。固定クリップ３０は、ホルダ本体１０に後述のようにして取り付け取り外し可能に取り付けられている。
【００２４】
ホルダ本体１０は、ケース（保持部の一例）１１と、ネックストラップ２５と、クリップ２７とを有している。ケース１１の背面には開口部１１ａが形成されている。固定クリップ３０は、ケース１１の背面に取り付けられている。
【００２５】
図２は、ホルダ本体１０を示す斜視図である。
【００２６】
図を参照して、ホルダ本体１０は、さらに、スチールプレート（第１の着脱部の一例）２０を有している。図において、ネックストラップ２５は、ケース１１側に近い一部分のみが示されている。
【００２７】
ケース１１は、略長方形の薄板形状を有し、その内部にカード（例えば、名刺、ＩＤカード、又はクレジットカードなど）を収納可能に形成されている。ケース１１は、例えば、透明なプラスチック（ポリスチレンやビニルなどの合成樹脂）製である。カードは、ケース１１の側部に形成された挿入口１１ｂから差し込まれ、ケース１１の内部の収納部１１ｃに収納される。収納部１１ｃは挿入されたカードを保持するのに十分なだけ狭く形成されており、ケース１１は、カードを保持可能である。開口部１１ａは、保持されるカードの表面が外部に露出するように形成されている。カードの取り出しは、例えば、開口部１１ａを介して指などでカードを押し出すことで容易に行うことができる。ケース１１の上部には、つり輪部１３が設けられている。なお、ケース１１は合成樹脂製に限られず、例えば、金属製であったり、合成皮革や天然皮革製であったり、木製や紙製などであったり、これらを組み合わせて形成されていたりしてもよい。
【００２８】
ネックストラップ２５は、クリップ２７を介して、ケース１１をつり下げる。クリップ２７は、例えば樹脂又は金属を用いて環状に形成されている。クリップ２７は、ネックストラップ２５を貫通し、つり輪部１３を貫通するようにしてケース１１に取り付けられている。
【００２９】
ネックストラップ２５は、例えば化学繊維を用いた編みひもである。ネックストラップ２５は、環状であり、ケース１１をつり下げるつり下げひもである。ネックストラップ２５は、クリップ２７を貫通するようにしてクリップ２７に取り付けられており、クリップ２７を介してケース１１をつり下げる。ネックストラップ２５は、ユーザの首に掛けられたときに、ケース１１がユーザの胸の前の適当な位置に位置するように、適切な長さを有している。ネックストラップ２５の長さは調整可能であってもよい。
【００３０】
スチールプレート２０は、鉄製の板状部材すなわち強磁性体である。スチールプレート２０は、ケース１１の背面のうち開口部１１ａの下方に、開口部１１ａを遮らないようにしてはり付けられている。すなわち、スチールプレート２０は、ケース１１のうち、カードホルダ１が使用される状態において通常前面に向けられる面（前面）の反対側の面にはり付けられている。スチールプレート２０の大きさは、例えば、ケース１１の背面の大きさよりも小さい。スチールプレート２０は、ケース１１の外縁部から外側にはみ出さないようにしてケース１１にはり付けられている。
【００３１】
図３は、固定クリップ３０を示す斜視図である。
【００３２】
固定クリップ３０は、いわゆるタイバー（タイクリップやタイピンなどと呼ぶことがある）のようなネクタイ留めとして用いることができるものである。図を参照して、固定クリップ３０は、ネクタイ留めの前面側の部材である第１の部材３１と、ネクタイ留めの背面側の部材である第２の部材３３とを有している。第２の部材３３は、第１の部材３１に対してばねの力により付勢されている。第１の部材３１と第２の部材３３との間には、例えばネクタイや被服などのユーザの着用物を挟むことができる。
【００３３】
本実施の形態において、固定クリップ３０は、さらに、マグネットプレート（第２の着脱部の一例、磁石の一例）４０と、取付板４５とを有している。取付板４５は、第１の部材３１の前面に取り付けられている。マグネットプレート４０は、例えば、フェライト磁石を用いた板状のボンド磁石である。マグネットプレート４０は、取付板４５の前面に取り付けられている。すなわち、固定クリップ３０の前面には、マグネットプレート４０の一面が露出している。
【００３４】
取付板４５とマグネットプレート４０とは、例えば、スチールプレート２０よりも小さい略長方形状に形成されている。これらの形状や大きさはこれに限られるものではなく、例えば、スチールプレート２０と略同じ大きさを有していても、それより大きくてもよい。
【００３５】
なお、マグネットプレート４０は、板状のフェライト磁石であったり、プラスチック磁石であったり、磁化された金属板であったりしてもよい。
【００３６】
図４は、カードホルダ１の使用状態の一例を示す斜視図である。
【００３７】
図を参照して、固定クリップ３０は、ホルダ本体１０のうちケース１１の背面側に装着される。磁石であるマグネットプレート４０が強磁性体であるスチールプレート２０に近づけられると、マグネットプレート４０とスチールプレート２０とが互いに磁気吸引される。マグネットプレート４０とスチールプレート２０とが磁気吸引力により互いに接着されることにより、固定クリップ３０がケース１１に取り付けられる。
【００３８】
図５は、カードホルダ１の幅方向略中央部の側断面図である。
【００３９】
図の左側がケース１１の前面側である。カードホルダ１の使用状態において、ケース１１は、第１の部材３１と第２の部材３３との間にユーザの被服８０を挟んだ状態でユーザの被服８０に固定されている固定クリップ３０に取り付けられている。すなわち、ユーザの被服８０に固定された固定クリップ３０の前面側には、被服８０に近い側から順に、取付板４５とマグネットプレート４０とが位置している。マグネットプレート４０にはスチールプレート２０が接着され、それによりケース１１が固定クリップ３０に固定される。
【００４０】
図６は、カードホルダ１の使用方法の一例を説明する斜視図である。
【００４１】
図において、ケース１１の開口部や挿入口などの図示は省略している。
【００４２】
ユーザは、固定クリップ３０を被服など（図６において図示せず）に固定した状態で、その固定クリップ３０にケース１１を取り付けることができる。すなわち、図を参照して、ユーザは、ユーザの被服などに固定されている固定クリップ３０のマグネットプレート４０に、ネックストラップ２５を首に掛けた状態で首からつり下げているケース１１の背面を近づける。このとき、ユーザは、図に矢印Ａで示すように、マグネットプレート４０にスチールプレート２０が近接するように、ケース１１を固定クリップ３０に近づける。マグネットプレート４０にスチールプレート２０が近接すると、マグネットプレート４０とスチールプレート２０との間に働く磁気吸引力により、固定クリップ３０とケース１１とが引き寄せられる。これにより、マグネットプレート４０とスチールプレート２０とが磁気吸引力により接触し、互いに接着され、固定クリップ３０にホルダ本体１０が取り付けられる。固定クリップ３０はユーザの被服に固定されているので、ホルダ本体１０は、ユーザからケース１１が離れないように、固定クリップ３０により保持される。
【００４３】
上述のように固定クリップ３０にホルダ本体１０が取り付けられている状態において、ホルダ本体１０は固定クリップ３０から容易に取り外し可能である。すなわち、ホルダ本体１０を固定クリップ３０から取り外すときには、ユーザは、マグネットプレート４０とスチールプレート２０との間の磁気吸引力に抗して、ケース１１を固定クリップ３０から引き離せばよい。
【００４４】
ユーザは、ネクタイやシャツなどのユーザの被服に固定クリップ３０を取り付けて、カードホルダ１、ネクタイ、及びシャツが一体となるようにしてカードホルダ１を用いることができる。また、ネクタイに固定クリップ３０を固定し、ネクタイとカードホルダ１とが一体となるようにしてもよい。また、ユーザがネクタイを着用していないときには、シャツに固定クリップ３０を固定し、シャツとカードホルダ１とが一体となるようにすればよい。ユーザは、いわゆるワイシャツなどのボタン式シャツを着用していない場合であっても、トレーナーやＴシャツを固定クリップ３０で摘むようにして固定クリップ３０を固定し、カードホルダ１とユーザの着用物とが一体となるようにすればよい。そのほか、固定クリップ３０は、ユーザが着用している鞄や上着などに取り付けてもよい。
【００４５】
このように、本実施の形態においては、ホルダ本体１０は、固定クリップ３０に容易に取り付け及び取り外し可能であるので、ユーザは、容易にカードホルダ１を着脱できる。ユーザは、カードホルダ１の着用時において、固定された固定クリップ３０にホルダ本体１０を取り付けることにより、ケース１１を固定クリップ３０から離れないように保持することができる。ユーザの姿勢にかかわらず、ケース１１は固定クリップ３０が固定されている位置に位置する。したがって、例えば前傾姿勢であるときにユーザからユーザの前方にケース１１が離れ、カードホルダ１がユーザが行う作業の妨げになったり、ケース１１などホルダ本体１０がほかの物に接触したりすることを防止できる。
【００４６】
カードホルダ１のケース１１の前面は、常に、固定クリップ３０の前面が向く方向に向く。ユーザが固定クリップ３０をユーザの正面に前向きに装着した場合、ケース１１の前面は、ユーザの前方を向いたままとなる。したがって、例えばカードホルダ１を名札ホルダとして利用する際に、ネックストラップ２５などがねじれてケース１１が裏向きになることが防止される。すなわち、名札部分が常に読みやすくなるように、ケース１１の向きを維持することができる。
【００４７】
ケース１１の背面が固定クリップ３０に取り付けられており、ケース１１が固定されているので、ケース１１が揺れにくく、例えばユーザの名前など、ケース１１に収納されたカードの文字がほかのユーザから見やすくなる。特に、ユーザの歩行時にはケース１１の揺れが防止される効果が顕著であり、ケース１１がユーザの歩行などの妨げになることが防止される。また、ケース１１をユーザの被服に対し固定できるので、ケース１１が、ユーザが着用しているネクタイの裏側に隠れたり、ユーザのシャツのすき間（ボタン間など）に入り込んだりすることを防止できる。
【００４８】
カードホルダ１は、必要に応じて、本体と固定クリップ３０とを容易に着脱可能なものである。ユーザは、ケース１１が固定クリップ３０に保持されている状態で、ケース１１に収納されているカードを利用したい場合などには、ケース１１を固定クリップ３０から引き離すことで、容易にケース１１内のカードを利用可能である。例えば、ケース１１内に収納したクレジットカードや接触式ＩＣカードなどをケース１１から取り出して利用するときや、ケース１１内に収納した非接触式ＩＣカードなどをその読み取り装置に近づけて利用するときなどにおいて、カードを利用しやすくなる。したがって、カードホルダ１の使い勝手をより向上させることができる。
【００４９】
ケース１１の背面には開口部１１ａがスチールプレート２０に覆われないように配置されているので、カードを容易にケース１１から取り出すことができる。
【００５０】
なお、ユーザは、カードホルダ１の着用時において、ホルダ本体１０と固定クリップ３０とが離れている状態でホルダ本体１０と固定クリップ３０とをそれぞれ身に付けてもよい。また、ユーザは、ホルダ本体１０と固定クリップ３０とが接触している状態でホルダ本体１０を身に付けた後、固定クリップ３０をユーザの衣服などに固定してもよい。いずれの場合であっても、ユーザは容易にカードホルダ１を着用できる。
【００５１】
カードホルダ１は、ホルダ本体１０側に強磁性体を用い、固定クリップ３０側に磁石を用いた簡素な構造を有するので、カードホルダ１の製造コストは低く抑えられる。またマグネットプレート４０とスチールプレート２０とはホルダ本体１０と固定クリップ３０との着脱回数が多くなってもそれほど消耗したり劣化したりしないので、カードホルダ１の耐久性は高くなる。
【００５２】
カードホルダ１の不使用時などには、ユーザは、固定クリップ３０をネクタイ留めとして使用可能である。ユーザは、固定クリップ３０の第１の部材３１がネクタイの前面側（大剣側）に位置するようにして固定クリップ３０を用いてもよい。また、第１の部材３１がネクタイの大剣部とその裏側に位置する小剣部との間に位置し固定クリップ３０が大剣部に隠れるようにして固定クリップを用いてもよい。このとき、固定クリップ３０の取付板４５やマグネットプレート４０などがネクタイ留めとして使用する際に邪魔になるようであれば、これらを第１の部材３１から取り外すことができるようにしてもよい。
【００５３】
なお、本実施の形態において、ケース１１の背面に、スチールプレート２０に代えて、マグネットプレートが取り付けられていてもよい。この場合、ケース１１側のマグネットプレートと固定クリップ３０側のマグネットプレート４０とは、それぞれの極性が両マグネットプレートが互いに吸引するような向きになるようにして設けられていればよい。また、ケース１１側にマグネットプレートが取り付けられている場合において、固定クリップ３０側には、マグネットプレート４０及び取付板４５に代えて、鉄製のプレートなど強磁性体が設けられていてもよい。また、固定クリップ３０の第１の部材３１などやケース１１について、それ自体が強磁性体であったり磁石であったりしてもよい。
【００５４】
また、ケースの形状及びスチールプレートの位置などは、上述のものに限られない。以下、第１の実施形態の変型例について説明する。
【００５５】
図７は、第１の実施形態の一変型例に係るケース１１の背面図である。
【００５６】
図を参照して、スチールプレート２０は、ケース１１の上方に配置されている。本変型例においては、スチールプレート２０は略だ円形を有している。開口部１１ａは、スチールプレート２０の下方に配置されている。
【００５７】
図８は、第１の実施形態の別の変型例に係るケース１１の背面図である。
【００５８】
図を参照して、スチールプレート２０は、ケース１１の略中央部に配置されている。本変型例においては、スチールプレート２０は略だ円形を有している。
【００５９】
スチールプレート２０の側方（図において右側）には、収納部１１ｃに収納されたカードを引き出すための半円の切り欠き形状の開口部１１ｄがケース１１の背面側の部材の一部を取り除くことにより形成されている。開口部１１ｄは、ケース１１の側方に開放されている。すなわち、本変型例においては、ユーザは、開口部１１ｄから露出するカードを摘んだり指で押したりすることにより、カードをケース１１から取り出すことができる。
【００６０】
図９は、第１の実施形態の別の変型例に係るケース１１の背面図である。
【００６１】
図を参照して、スチールプレート２０は、ケース１１の略中央部に配置されている。本変型例においては、スチールプレート２０は略だ円形を有している。
【００６２】
スチールプレート２０の側方（図において右側）には、収納部１１ｃに収納されたカードを引き出すための開口部１１ｅがケース１１の中央部近傍からケース１１の側端部の一部にかけてケース１１の背面側の部材の一部を取り除くことにより形成されている。すなわち、開口部１１ｅの一部はケース１１の側方に開放されている。本変型例において、スチールプレート２０のうち開口部１１ｅに掛かる部分は開口部１１ｅを妨げないように取り除かれている。ケース１１の本変型例においても、ユーザは、開口部１１ｄから露出するカードを摘んだり指で押したりすることにより、カードをケース１１から取り出すことができる。
【００６３】
［第２の実施の形態］
【００６４】
第２の実施の形態におけるカードホルダの基本的な構成は、第１の実施の形態におけるそれと同じであるためここでの説明を繰り返さない。第２の実施の形態においては、ホルダ本体と固定クリップとが一対の面ファスナにより互いに取り付けられている点が第１の実施の形態とは異なる。以下、第１の実施の形態のカードホルダと同様の構成要素についてはそれと同一の符号を付してその説明を省略し、第１の実施の形態とは異なる点について説明する。
【００６５】
第２の実施の形態において、一対の面ファスナとしては、例えば、フック面とループ面とを有し、それらが互いに係合するものが用いられている。面ファスナの素材は、例えばポリエステルやポリアミド系合成繊維である。面ファスナは、例えば引っ張り初期の引っ張り強度として、２５０グラム毎立方センチメートル程度のものを用いることができるが、これに限られるものではない。
【００６６】
図１０は、第２の実施の形態におけるカードホルダ１０１を示す斜視図である。
【００６７】
図において、ケース１１の開口部や挿入口などの図示は省略している。
【００６８】
図を参照して、ホルダ本体１１０のケース１１の背面側には、メス側面ファスナ１２０がはり付けられている。メス側面ファスナ１２０は、ループ面の面ファスナであり、フック面に形成されているフックが係合するループが多数形成されているものである。
【００６９】
固定クリップ１３０において、第１の部材３１に取り付けられている取付板４５には、オス側面ファスナ１４０がはり付けられている。オス側面ファスナ１４０は、フック面の面ファスナであり、ループに係合するかぎ状のフックが多数形成されているものである。
【００７０】
第２の実施の形態においても、第１の実施の形態と同様に、ユーザは、固定クリップ１３０を被服などに固定した状態で、その固定クリップ１３０にケース１１を取り付けることができる。すなわち、図を参照して、ユーザは、図に矢印Ａで示すように、ユーザの被服などに固定されている固定クリップ１３０のオス側面ファスナ１４０にメス側面ファスナ１２０を近づけ、メス側面ファスナ１２０にオス側面ファスナ１４０を係合させる。オス側面ファスナ１４０とメス側面ファスナ１２０とが互いに係合することにより、固定クリップ１３０にケース１１が保持される。固定クリップ１３０はユーザの被服に固定されているので、ホルダ本体１１０は、ユーザからケース１１が離れないように固定クリップ１３０により保持される。
【００７１】
このように固定クリップ１３０にホルダ本体１１０が取り付けられている状態において、ホルダ本体１１０は固定クリップ１３０から容易に取り外し可能である。すなわち、ホルダ本体１１０を固定クリップ１３０から取り外すときには、ユーザは、面ファスナ１２０，１４０の係合を解除させるように、ケース１１を固定クリップ１３０から引き離せばよい。
【００７２】
このように、カードホルダ１０１は、第１の実施の形態のカードホルダ１と同様に、ホルダ本体１１０を固定クリップ１３０に容易に取り付け及び取り外し可能なものである。したがって、カードホルダ１０１は、第１の実施の形態と同様の効果を奏する。
【００７３】
第２の実施の形態において、磁石又は強磁性体の代わりに面ファスナを用いているので、第１の実施の形態と比較して、ホルダ本体１１０や固定クリップ１３０の質量が比較的小さくなる。したがって、カードホルダ１０１がさらに扱いやすいものになる。また、磁石を用いないので、カードホルダ１０１に磁気カードを収納しても磁気カードになんらの影響も及ばない。したがって、カードホルダ１０１を種々のカードに対応させることができる。
【００７４】
一対の面ファスナのうちホルダ本体１１０側にはメス側面ファスナ１２０がはり付けられているので、ホルダ本体１１０を例えば単独で用いているときに、ケース１１の背面側とユーザの被服などとが擦れても、ユーザの被服などの表面が傷みにくい。したがって、カードホルダ１０１がさらに扱いやすいものになる。
【００７５】
なお、第２の実施の形態において、面ファスナとしては、フック面とループ面とが互いに係合するものに限られない。例えば、各面に同様に設けられた突起同士が係合するようなものや、フックとループが同一の面に両方形成されており一方の面のフックが他方の面のループに係合するものなど、種々の面ファスナを適宜用いることができる。
【００７６】
第２の実施の形態において、面ファスナの位置や形状は上述に限られない。例えば、第１の実施の形態における図７〜図９に示したような変型例と同様に、面ファスナは、ケースの開口部１１ａ，１１ｄ，１１ｅの位置や形状などに応じて配置されていればよい。また、ホルダ本体１１０にオス側面ファスナ（フック面の面ファスナ）を配置し、固定クリップ１３０にメス側面ファスナ（ループ面の面ファスナ）を配置し、ホルダ本体１１０が固定クリップ１３０に保持されるようにしてもよい。
【００７７】
［その他］
【００７８】
取付板やマグネットプレート、スチールプレート、及び面ファスナなどの形状は、長方形に限られず、例えば円形、だ円形、又は多角形など適当な形状であればよい。また、ケースの形状などもこれに限られるものではない。
【００７９】
ケース内に収納されたカードを取り出すためにケースに設けられる開口部は、ケースの前面側に形成されていてもよい。この場合、ケース背面の任意の場所に任意の大きさで面ファスナ又はマグネットプレートやスチールプレートなどを配置することができる。ケースの背面全体に面ファスナ又はマグネットプレートやスチールプレートなどを配置してもよい。
【００８０】
マグネットプレート、スチールプレート、及び面ファスナなどに代えて、平面状でない部材を用いてもよい。例えば、第１の実施の形態において、固定クリップに、マグネットプレート及び取付板に代えて、第１の部材に玉状の磁石（第２の着脱部の一例）を取り付け、その玉状の磁石とケースのスチールプレートとが磁気吸引するようにしてもよい。同様に、第２の実施の形態において、面ファスナの一方を他方の面ファスナに係合する球状のもの（第２の着脱部の一例）としてもよい。また、固定クリップ側、ホルダ本体側の両方について、玉状、球状などの平面状でない形状の部材を用いてもよい。
【００８１】
固定クリップ側の面ファスナと係合したりマグネットプレートなどに吸引されたりするホルダ本体側の部材は、ケースに設けられていなくてもよく、例えばネックストラップやそれとケースとを連結するクリップに設けられていてもよい。また、クリップやネックストラップ自体が、固定クリップ側の部材と係合したり固定クリップ側の部材に吸引されたりするようにしてもよい。
【００８２】
上述の実施の形態を適宜組み合わせてもよい。例えば、ケースの背面側と固定クリップの前面側とのそれぞれに、磁石又は強磁性体に面ファスナを配した部材を取り付けてもよい。このとき、ケースと固定クリップとが互いに磁気吸引力により吸引され、かつ、面ファスナが係合した状態で、ケースに固定クリップが取り付けられるようにすればよい。
【００８３】
カードホルダは、タイバー型の固定クリップが用いられるものに限られない。例えば、ネクタイ留めとして使用可能なタイピン型の固定ピンにケースが取り付けられることで固定されるようにしてもよい。また、ネクタイ留めとして使用可能でなくても、ユーザの着用物に取り付け及び取り外し可能なクリップやピンなど（固定部材の一例）を用いて、それにケースが取り付け及び取り外し可能に係合し又は吸引されていてもよい。
【００８４】
ホルダ本体は、上述のようにカード全体が収納されるケースに代えて、カードの一部が前面側に露出するようにカードを保持する保持部を用いたものであってもよい。この場合、保持部の一部に強磁性体、磁石、又は面ファスナなどを設け、固定クリップに取り付け取り外し可能にすればよい。また、カードを出し入れする挿入口は、ケースの背面側、上部又は前面側に設けられていてもよい。この場合、挿入口は、常時開放されていてもよいし、封止可能であってもよい。例えば、ケースが封筒のような構造を有しており、そのフラップ部が面ファスナやレールファスナ、又は他種のファスナによりケース本体に留められることでカードの挿入口が閉じられるようにしてもよい。
【００８５】
上記実施の形態は、すべての点で例示であって制限的なものではないと考えられるべきである。本考案の範囲は上記した説明ではなくて実用新案登録請求の範囲によって示され、実用新案登録請求の範囲と均等の意味及び範囲内でのすべての変更が含まれることが意図される。
【符号の説明】
【００８６】
１，１０１  カードホルダ
１０，１１０  ホルダ本体
１１  ケース（保持部の一例）
１１ａ，１１ｄ，１１ｅ  開口部
２０  スチールプレート（第１の着脱部の一例、強磁性体の一例）
３０  固定クリップ（固定部材の一例、ネクタイ留めの一例）
４０  マグネットプレート（第２の着脱部の一例、磁石の一例）
１２０  メス側面ファスナ（第１の着脱部の一例）
１４０  オス側面ファスナ（第２の着脱部の一例）
【図１】
0003163601.tif 000003
【図２】
0003163601.tif 000004
【図３】
0003163601.tif 000005
【図４】
0003163601.tif 000006
【図５】
0003163601.tif 000007
【図６】
0003163601.tif 000008
【図７】
0003163601.tif 000009
【図８】
0003163601.tif 000010
【図９】
0003163601.tif 000011
【図１０】
0003163601.tif 000012